(57)【要約】【課題】ホームページ上の必要なページのみをリストアップして印刷する。【解決手段】相互にリンクされたホームページの対象ページを印刷するプリントアウトシステムにおいて、ホームページ管理者が対象ページにタイトル名を付与して印刷リストを作成する手段と、ホームページユーザが前記印刷リストに基づいて印刷ページを指定する手段と、指定された印刷ページ及び印刷リストに基づいて対象ページを取得し、表紙、目次を作成して印刷ページを作成する手段と、作成された印刷ページを出力する手段とを備える。【選択図】図１
2005322113.tif 000002
【特許請求の範囲】
【請求項１】
相互にリンクされたホームページの対象ページを印刷するプリントアウトシステムにおいて、ホームページ管理者が対象ページにタイトル名を付与して印刷リストを作成する手段と、ホームページユーザが前記印刷リストに基づいて印刷ページを指定する手段と、指定された印刷ページ及び印刷リストに基づいて対象ページを取得し、表紙、目次を作成して印刷ページを作成する手段と、作成された印刷ページを出力する手段とを備えることを特徴とするホームページプリントアウトシステム。
【請求項２】
前記印刷リストは、ホームページの内容を大分類で分けたカテゴリ名と、各カテゴリ名にリンクされた対象ページとを備え、各対象ページにはタイトルが付けられていることを特徴とする請求項１記載のホームページプリントアウトシステム。
【請求項３】
前記印刷ページを作成する手段は、前記対象ページから不要な情報を除去し、印刷改ページ情報を付加することを特徴とする請求項１記載のホームページプリントアウトシステム。
【請求項４】
前記印刷ページ指定手段により指定された印刷指定情報を累積し、この累積情報を出力することを特徴とする請求項１記載のホームページプリントアウトシステム。
【発明の詳細な説明】
【技術分野】
【０００１】
本発明は、インターネットのホームページに表示される情報を印刷する場合に、必要なページのみをリストアップして印刷することができるプリントアウトシステムに関する。
【背景技術】
【０００２】
従来、インターネットのホームページを印刷するには、パソコン上で稼働するプラウザのソフトウエアで印刷したいページに一旦アクセスし、その内容を表示させた後、印刷アイコンをクリックすることにより印刷を行っている。インターネットのホームページでは、ハイパーテキストが表紙、目次、内容など、別々の文書で保管され、お互いがそれぞれリンクしてひとまとまりの文書を構成しているため、それらのリンクした文書を印刷する場合には、リンクしている文書の全てについて、表示・印刷の作業を繰り返す必要があった。すなわち、印刷要求者は、最後のリンクしている文書を表示するまで、この単調な作業に拘束され、別の作業をすることができなかった。
【０００３】
この問題を解決するために、特許文献１においては、印刷対象となるページと、そこに含まれるリンクの階層を指定してページを一括して出力し、また印刷物として実際のページの内容の他に印刷物全体の目次を作成し、参照の効率を向上させるようにしている。
【特許文献１】特開平１０−１７１６０９号公報
【発明の開示】
【発明が解決しようとする課題】
【０００４】
しかしながら、ホームページで用いられている文書では、１ページ目からリンク先の複数ページへと、単一ページに対して複数ページが連続する文書の場合には一括しての印刷指示は難しく、文書を参照した時点で印刷するか否かを判断し、一定の時点でまとめて印刷することはできないという問題を有している。すなわち、上記特許文献１においては、リンクのレベル（深さ）を指定するだけなので、印刷要求者が望まない大量の印刷物が出力されてしまうという問題を有している。
また、特許文献１は、プリンタなどのハードウエアに加える機能であるために、ユーザのハードウエアの環境でサイトをまとめてプリントできるか否かが決定されてしまうという問題を有している。
【０００５】
本発明は、上記従来の問題を解決するものであって、ホームページ上の必要なページのみをリストアップして印刷することができるプリントアウトシステムを提供することを目的とする。
【課題を解決するための手段】
【０００６】
そのために本発明のホームページプリントアウトシステムは、相互にリンクされたホームページの対象ページを印刷するプリントアウトシステムにおいて、ホームページ管理者が対象ページにタイトル名を付与して印刷リストを作成する手段と、ホームページユーザが前記印刷リストに基づいて印刷ページを指定する手段と、指定された印刷ページ及び印刷リストに基づいて対象ページを取得し、表紙、目次を作成して印刷ページを作成する手段と、作成された印刷ページを出力する手段とを備えることを特徴とする。
また、前記印刷リストは、ホームページの内容を大分類で分けたカテゴリ名と、各カテゴリ名にリンクされた対象ページとを備え、各対象ページにはタイトルが付けられていることを特徴とする。
また、前記印刷ページを作成する手段は、前記対象ページから不要な情報を除去し、印刷改ページ情報を付加することを特徴とする。
また、前記印刷ページ指定手段により指定された印刷指定情報を累積し、この累積情報を出力することを特徴とする。
【発明の効果】
【０００７】
本発明によれば、ホームページ上の必要なページのみをリストアップして印刷することができ、不用な大量の印刷物の出力を防止することができるとともに、サイトを管理する側でユーザに機能を提供できるので、サイトを見る環境があるユーザ全てが本機能を使用することができる。
【０００８】
また、サイトを一つの冊子のように表紙と目次が付加されるので、複数のページを印刷した際には閲覧および保存がし易い。また、印刷するページがカテゴリやグループという人間が認識しやすい「言葉」での分類になっているため、階層の深さというまとめかたよりも印刷対象ページが具体的に把握し易くなる。また、サイトを管理する側で、印刷対象となったページが把握することができる。また、管理側で、印刷対象となるページを追加、削除可能なので、まとめて印刷する対象にしたくないページや、ページの一部分のみ印刷対象にすることなどが可能なので、印刷される情報の管理が可能になる。
【発明を実施するための最良の形態】
【０００９】
以下、本発明の実施形態を図面を参照しつつ説明する。図１〜図  は、本発明のホームページプリントアウトシステムの１実施形態を示し、図１はシステム構成図、図２はホームページ文書のリンク構造を示す図である。
【００１０】
図１において、印刷リスト作成手段１は、ホームページの管理者により印刷リストを作成する手段である。この印刷リストはパソコン画面に表示され、印刷ページ指定手段２において、ユーザ（印刷要求者）が印刷リストに基づいて、印刷を希望するページを指定する。印刷ページ作成手段３は、指定された印刷ページと印刷リスト作成手段１の情報に基づいて、ホームページの対象ページ４を取得し、表紙、目次を作成し、印刷するページを加工し、その結果を表示し印刷ページ出力手段５に出力する。また、印刷ページ指定手段２の印刷指定情報は印刷指定情報記憶手段６に格納され、印刷回数、頻度等を集計しこれを印刷指定情報出力手段７にて出力するように構成している。
【００１１】
ホームページの文書は、図２に示すように、階層を有するリンク構造になっており、ホームページのトップページには、ホームページの内容を大分類で分けた会社概要、製作実績などのカテゴリ名が表示され、各カテゴリ名にはそれぞれの対象ページがリンクされ、各対象ページにはタイトルが付けられている。例えば、製作実績という対象ページの下位にはタイトル名が企業サイト、キャンペーンサイトがリンクされ、さらにキャンペーンサイトの下位にはキャンペーンサイト実績その１、２、３がリンクされている。
【００１２】
図３〜５は、印刷リストの作成を説明するための図である。図３はホームページ管理者用のカテゴリ入力画面を示し、ここで、図２のカテゴリ名、タイトル名を入力し、また、印刷リストページ表示／非表示、印刷リストページタブ数（階層表示を何段階までするか）、所属グループを入力すると、図４に示す印刷リスト編集画面が表示される。この編集画面で、カテゴリ名変更、削除、カテゴリに新規ページ作成、表示順移動、リスト表示フラグ（印刷リストに表示させるか否か）、URLを入力するを行うことができる。上記の処理をまとめると図５のフローとなる。
【００１３】
図６は、本発明のホームページプリントアウトシステムの処理の流れを説明するための図である。図９に示すホームページのトップページには本発明のシステムにより、「ページを選択して印刷」のアイコンＰが表示され、ここで「ページを選択して印刷」を実行すると、ステップ（１）でデータベースから登録されたページ情報（印刷リスト）を一覧で表示する。この具体的画面の例を図７に示す。
【００１４】
ステップ（２）においてユーザが印刷希望ページを選択指定する。例えば図７の画面で表紙、目次、会社概要などにチェックを入力し、ステップ（３）でプリンタの能力に応じて印刷送りページを指定し、ステップ（４）で印刷指示ボタンを押すと、ステップ（５）で指示されたページから目次情報を作成し、ステップ（６）で指示されたページを取得し加工する。加工は、目次番号付加、表示不用情報削除、印刷情報の付加である。また、印刷指示された情報がログとして累積、保存される。次にステップ（７）でデータベースから登録された情報を一覧で表示し、ステップ（８）で表紙、目次付きで指示されたページが表示され、各ページには目次に対応したページ番号が付与されて表示され、ステップ（９）でページを印刷すると各ページごとに印刷される。
【００１５】
図８は、図６の加工処理を説明するための図である。ホームページ文書では、各対象ページに同一の情報が表示されるのが一般的である。例えば、ＷＥＢページ（対象ページ）１に情報Ａ、Ｂ、Ｃ、Ｄがあり、ＷＥＢページ２にＡ、Ｅ、Ｆ、Ｄというように同一の情報Ａ、Ｄが表示される。この情報Ａ、Ｂは、タイトルの内容とは関係がなくユーザにとっては不要な印刷情報である（例えば図９でＡに示す）。そこで、本発明に係る加工処理においては、ＷＥＢページ１，２に印刷対象開始指示と印刷対象終了指示の処理を行い、情報Ａ、Ｄを削除し、情報Ｂ、Ｃ、Ｅ、Ｆのみを取り出して印刷する。このとき印刷改ページ情報を付加してページ番号を付ける。これによりユーザは対象ページの必要な情報のみを取得することができる。
【００１６】
図１０〜図１２は、印刷例を示し、図１０は表紙、図１１は目次、図１２は会社概要を示している、図１２では、図８の加工処理により図９に示した不要情報Ａが削除されている。図１３および図１４は、印刷指定情報の出力例を示す図である。月別、時間帯別、タイトル名ごとに印刷回数ないしグラフを表示するようにしている。
【図面の簡単な説明】
【００１７】
【図１】本発明の１実施形態を示すシステム構成図である。
【図２】ホームページ文書のリンク構造を示す図である。
【図３】印刷リストの作成を説明するための図である。
【図４】印刷リストの作成を説明するための図である。
【図５】印刷リスト作成のフローを説明するための図である。
【図６】本発明の処理の流れを説明するための図である。
【図７】印刷ページ指定手段の画面例を示す図である。
【図８】図６の加工処理を説明するための図である。
【図９】ホームページのトップページの例を示す図である。
【図１０】印刷例を示す図である。
【図１１】印刷例を示す図である。
【図１２】印刷例を示す図である。
【図１３】印刷指定情報の出力例を示す図である。
【図１４】印刷指定情報の出力例を示す図である。
【図１】
2005322113.tif 000003
【図２】
2005322113.tif 000004
【図３】
2005322113.tif 000005
【図４】
2005322113.tif 000006
【図５】
2005322113.tif 000007
【図６】
2005322113.tif 000008
【図７】
2005322113.tif 000009
【図８】
2005322113.tif 000010
【図９】
2005322113.tif 000011
【図１０】
2005322113.tif 000012
【図１１】
2005322113.tif 000013
【図１２】
2005322113.tif 000014
【図１３】
2005322113.tif 000015
【図１４】
2005322113.tif 000016